(57)【要約】      （修正有）【課題】本来の収納機能に各種広告及び／又は情報機能或いはアメニティ機能等を加え、頒布された後に積極的に利用されるようにしたクリアホルダーを提供する。【解決手段】表面２・裏面３片の２片より形成されるクリアホルダー１の本体片又は該２片のいずれかに、複数の企業・店舗・事業所・様々な施設等の広告及び／又は情報５並びに地図６・交通路線図等の情報を記載したことを特徴とするクリアホルダー。【選択図】図１
0003149942.tif 000002
【実用新案登録請求の範囲】
【請求項１】
表・裏面片の２片より形成されるクリアホルダーの本体片又は該２片のいずれかに、複数の企業・店舗・事業所・様々な施設等の広告及び／又は情報並びに地図・交通路線図等の情報を記載したことを特徴とするクリアホルダー。
【請求項２】
広告及び／又は情報には、広告主体や情報提供主体の広告、イメージアップのための広告、各種宣伝情報等を記載してなることを特徴とする請求項１記載のクリアホルダー。
【請求項３】
広告及び／又は情報には、ホームページアドレス、ロゴマーク、携帯用のＱＲコード等を記載してなることを特徴とする請求項１又は２記載のクリアホルダー。
【請求項４】
様々な施設の広告及び／又は情報には、特定地域の病院、各種公共施設、駐車・駐輪施設、喫煙可能箇所、或いは各種地域情報等のいずれか１以上を記載してなることを特徴とする請求項１乃至３のいずれか記載のクリアホルダー。
【請求項５】
地図・交通路線図には、企業・店舗・事業所・様々な施設等の広告及び／又は情報が記載された箇所に対応する位置に番号、記号或いは文字等の目印を記載してなることを特徴とする請求項１乃至４のいずれか記載のクリアホルダー。
【請求項６】
地図・交通路線図には、駅や特定の場所を基点として広告及び／又は情報主体までの所要時間等を記載してなることを特徴とする請求項１乃至５のいずれか記載のクリアホルダー。
【請求項７】
本体片の開口側側縁部或いは上縁部に綴り手段となる適宜貫通孔を形成してなることを特徴とする請求項１乃至６のいずれか記載のクリアホルダー。
【請求項８】
表・裏面片又はそのいずれかの上下に横方向の短尺切断部を形成してなることを特徴とする請求項１乃至７のいずれか記載のクリアホルダー。
【請求項９】
表・裏面片又はそのいずれかの左右に縦方向の短尺切断部を形成してなることを特徴とする請求項１乃至７のいずれか記載のクリアホルダー。
【請求項１０】
表・裏面片又はそのいずれかを袋状体に形成してなることを特徴とする請求項１乃至９のいずれか記載のクリアホルダー。
【請求項１１】
袋状体には、ティッシュを挿入配設し、表面側に設けた切断部からティッシュ片を出入自在としてなることを特徴とする請求項１０記載のクリアホルダー。
【請求項１２】
袋状体には、挿入物、色付薄片、各種広告・情報等の情報薄片等を挿入自在に配設してなることを特徴とする請求項１０又は１１記載のクリアホルダー。
【請求項１３】
本体片の開口隅部となる位置に、表・裏面片間に収納した挿入物の位置ずれ或いは落下防止のための固定手段を設けてなることを特徴とする請求項１乃至１２のいずれか記載のクリアホルダー。
【請求項１４】
固定手段は、表・裏面片のいずれかの開口隅部に外方へ突出した帯状片を固定し、その先端に設けた切り込み、ホック或いはマジックテープ（登録商標）等の係止手段と、表・裏面片の他方の片に設けた切り込み、ホック或いはマジックテープ（登録商標）等の係止手段との結合とよりなることを特徴とする請求項１３記載のクリアホルダー。
【請求項１５】
帯状片は、軸を中心として回動自在或いは該軸に着脱自在としてなることを特徴とする請求項１４記載のクリアホルダー。
【請求項１６】
表・裏面片又はそのいずれかの内側に軸を中心として回転自在とした回転体を設け、該表・裏面片に形成した窓より該回転体に表示した年・月・日・曜日或いは各種情報並びに切断分離可能な複数のクーポン券、割引券等の小薄片等を可視できることを特徴とする請求項１乃至１５のいずれか記載のクリアホルダー。
【請求項１７】
表・裏面片又はそのいずれかの表面に異なるサイズの挿入物を収納するのに適した大きさの隣接２方開放の薄片を取着したことを特徴とする請求項１乃至１６のいずれか記載のクリアホルダー。
【請求項１８】
表・裏面片又はそのいずれかに３方を固定し上方部が開口したポケットを形成したことを特徴とする請求項１乃至１７のいずれか記載のクリアホルダー。
【請求項１９】
ポケットは、複数個設けてなることを特徴とする請求項１８記載のクリアホルダー。
【請求項２０】
ポケットには、上蓋を設け挿入物の落下防止としてなることを特徴とする請求項１８又は１９記載のクリアホルダー。
【請求項２１】
ポケットは、その裏面側に設けた切り込み、ホック或いはマジックテープ（登録商標）等の係止手段と、表・裏面片又はそのいずれかに設けた切り込み、ホック或いはマジックテープ（登録商標）等の係止手段との係合とよりなり着脱自在に形成してなることを特徴とする請求項１８乃至２０のいずれか記載のクリアホルダー。
【請求項２２】
適宜位置のポケット或いは企業・店舗・事業所・様々な施設等を記載した位置に該当するポケットに適宜の小薄片或いは広告や情報と対応する補助薄片を着脱自在に収納してなることを特徴とする請求項１８乃至２１のいずれか記載のクリアホルダー。
【請求項２３】
小薄片或いは補助薄片は、クーポン券、割引券等の一般情報或いは名刺、予定表、会員券、診察券等の個人情報としてなることを特徴とする請求項２２記載のクリアホルダー。
【請求項２４】
ポケットは、表・裏面片又はそのいずれかに形成し、上方両側縁部は非固定状態として前方側へ傾倒できるように形成してなることを特徴とする請求項１８乃至２３のいずれか記載のクリアホルダー。
【請求項２５】
表・裏面片又はそのいずれかの外縁部に内側或いは外側に折り曲げ自在な補助片を取着してなることを特徴とする請求項１乃至２４のいずれか記載のクリアホルダー。
【請求項２６】
補助片には、企業・店舗・事業所・様々な施設等の広告及び／又は情報、地図・交通路線図或いは各種地域情報等の少なくとも１以上を表示してなることを特徴とする請求項２５記載のクリアホルダー。
【請求項２７】
補助片は、切断分離可能な複数のクーポン券、割引券、会員券、予定表等の小薄片としてなることを特徴とする請求項２５記載のクリアホルダー。
【請求項２８】
補助片は、切断分離可能な複数の小薄片からなる剥離紙付付箋としてなることを特徴とする請求項２５記載のクリアホルダー。
【請求項２９】
補助片は、切断分離可能な複数のしおりとしてなることを特徴とする請求項２５記載のクリアホルダー。
【請求項３０】
補助片は、切断分離可能な単独或いは複数個のポケットとしてなることを特徴とする請求項２５記載のクリアホルダー。
【請求項３１】
ポケットには、ポケットティッシュ或いはアメニティグッズ等の小物品を挿入自在に収納してなることを特徴とする請求項３０記載のクリアホルダー。
【請求項３２】
ポケットは上蓋付とし、ＤＶＤ、ＣＤ、ＭＤ、ＳＤカード等の情報媒体を挿入自在に収納してなることを特徴とする請求項３０記載のクリアホルダー。
【請求項３３】
本体片は、特定地域の複数の企業・店舗・事業所・様々な施設等の広告及び／又は情報並びに地図・交通路線図等の情報を記載した別途大きな片に予めミシン目のような切断部を形成しておくことにより切断分離可能に形成してなることを特徴とする請求項１乃至３２のいずれか記載のクリアホルダー。
【請求項３４】
表・裏面片又はそのいずれかに切断分離可能な上蓋、補助片及び切断分離可能な本体片を設け、それらのいずれか１以上の全部或いは一部を本体片から分離することにより通常のクリアホルダー或いは封筒や他の異なった形状のクリアホルダーとしてなる請求項１乃至３３のいずれか記載のクリアホルダー。
【請求項３５】
表・裏面片又はそのいずれかに切断部を設け、該切断部から半割り片或いは適宜分割片を切断分離することにより全体が半割り状等の小さな片とし、大きさの異なるクリアホルダーを併存してなることを特徴とする請求項１乃至３４のいずれか記載のクリアホルダー。
【請求項３６】
表・裏面片よりなる本体片の折り曲げ部の外方に他の本体片を取着して二重のクリアホルダーとし、一方の表・裏面片の一部を切断分離することにより大きさの異なるクリアホルダーを併存してなることを特徴とする請求項１乃至３５のいずれか記載のクリアホルダー。
【請求項３７】
二重のクリアホルダーを折り曲げ部より各々分離することにより２個のクリアホルダーとしてなることを特徴とする請求項３６記載のクリアホルダー。
【請求項３８】
表・裏面片又はそのいずれかに複数の企業・店舗・事業所・様々な施設等の広告及び／又は情報並びに地図・交通路線図等の情報に対応したクーポン券、割引券、会員券等の券情報を記載し、該券情報を小薄片として表・裏面片より切断分離可能としたことを特徴とする請求項１乃至３７のいずれか記載のクリアホルダー。
【請求項３９】
表・裏面片又はそのいずれかの開放側となる側縁部及び下縁部に２方開放の薄片を固定したことを特徴とする請求項１乃至３８のいずれか記載のクリアホルダー。
【請求項４０】
２方開放の薄片にクーポン券、割引券、会員券等の券情報を記載した複数の小薄片を切断分離可能に形成したことを特徴とする請求項３９記載のクリアホルダー。
【考案の詳細な説明】
【技術分野】
【０００１】
本考案は、クリアホルダーの表・裏面片を形成する本体片又は該表・裏面片のいずれかに複数の企業・店舗・事業所・様々な施設等の広告及び／又は情報並びに地図・交通路線図等の情報を記載することにより付加価値を高めたクリアホルダーに関する。
【背景技術】
【０００２】
従来より、チラシ、パンフレット、アメニティグッズ等の挿入物を収納したクリアホルダーが広告媒体として使用されているが、宣伝広告はクリアホルダーに収納された挿入物によるものが主体であり、クリアホルダー自体を広告媒体として利用しているものは少なかった。
【０００３】
クリアホルダー自体を広告媒体として利用しているものにあっては、収納された挿入物の広告主体或いは情報提供主体等と同一主体が単独で該主体名をクリアホルダーの表・裏面片に記載したものであった。
【０００４】
上記従来のクリアホルダーに収納するタイプの広告媒体は、柔軟なポケットティッシュ収納タイプ、チラシ、パンフレット、フリーペーパー、各種アメニティグッズ等の広告媒体とは異なり、収納された挿入物が廃棄された後においても、他の資料等のファイリングとして再利用されることが多く、該クリアホルダーの表・裏面片に記載された広告主体或いは情報提供主体等にとってはその宣伝広告効果は高いものであるが、記載された単独の広告主体や情報提供主体等に関心のない利用者にとっては単なるファイリングとしての機能での利用でしかなかった。
【０００５】
また、下記文献のように、クリアホルダーに袋体、大小のホルダー、綴じ穴等の付加価値を付与したものが存在するが、それらのものはいずれも複数の企業・店舗・事業所・様々な施設等の広告及び／又は情報並びに地図・交通路線図等の情報を記載したものを前提とするものではなかった。
【先行技術文献】
【特許文献】
【０００６】
【特許文献１】特開２０００−１９０６７５号公報
【特許文献２】実用新案登録第３１００７８５号公報
【特許文献３】実用新案登録第３０５５８１８号公報
【考案の概要】
【考案が解決しようとする課題】
【０００７】
本考案は、廃棄されることの少ないクリアホルダーにおいて、該クリアホルダーの表・裏面片又はそのいずれかに特定地域或いは地域を特定しない複数の企業・店舗・事業所・様々な施設等の広告主体や情報提供主体の商品の宣伝広告やホームページ或いは他の各種情報等の様々な広告及び／又は情報並びに地図・交通路線図等の情報を記載することにより、クリアホルダー本来の収納機能に各種広告及び／又は情報機能或いはアメニティ機能等を加え、頒布された後のクリアホルダーが積極的に利用されるように創案したものである。
【課題を解決するための手段】
【０００８】
本考案は、表・裏面片の２片より形成されるクリアホルダーの本体片又は該２片のいずれかに、複数の企業・店舗・事業所・様々な施設等の広告及び／又は情報並びに地図・交通路線図等の情報を記載したクリアホルダーを特徴とする。
【０００９】
また、広告及び／又は情報には、広告主体や情報提供主体の広告、イメージアップのための広告、各種宣伝情報等を記載してなるクリアホルダーを特徴とする。
【００１０】
更に、広告及び／又は情報には、ホームページアドレス、ロゴマーク、携帯用のＱＲコード等を記載してなるクリアホルダーを特徴とする。
【００１１】
また、様々な施設の広告及び／又は情報には、特定地域の病院、各種公共施設、駐車・駐輪施設、喫煙可能箇所、或いは各種地域情報等のいずれか１以上を記載してなるクリアホルダーを特徴とする。
【００１２】
更に、地図・交通路線図には、企業・店舗・事業所・様々な施設等の広告及び／又は情報が記載された箇所に対応する位置に番号、記号或いは文字等の目印を記載してなるクリアホルダーを特徴とする。
【００１３】
また、地図・交通路線図には、駅や特定の場所を基点として広告及び／又は情報主体までの所要時間等を記載してなるクリアホルダーを特徴とする。
【００１４】
更に、本体片の開口側側縁部或いは上縁部に綴り手段となる適宜貫通孔を形成してなるクリアホルダーを特徴とする。
【００１５】
また、表・裏面片又はそのいずれかの上下に横方向の短尺切断部を形成してなるクリアホルダーを特徴とする。
【００１６】
更に、表・裏面片又はそのいずれかの左右に縦方向の短尺切断部を形成してなるクリアホルダー特徴とする。
【００１７】
また、表・裏面片又はそのいずれかを袋状体に形成してなるクリアホルダーを特徴とする。
【００１８】
更に、上記袋状体には、ティッシュを挿入配設し、表面側に設けた切断部からティッシュ片を出入自在としてなるクリアホルダーを特徴とする。
【００１９】
また、上記袋状体には、挿入物、色付薄片、各種広告・情報等の情報薄片等を挿入自在に配設してなるクリアホルダーを特徴とする。
【００２０】
更に、本体片の開口隅部となる位置に、表・裏面片間に収納した挿入物の位置ずれ或いは落下防止のための固定手段を設けてなるクリアホルダーを特徴とする。
【００２１】
また、上記固定手段は、表・裏面片のいずれかの開口隅部に外方へ突出した帯状片を固定し、その先端に設けた切り込み、ホック或いはマジックテープ（登録商標）等の係止手段と、表・裏面片の他方の片に設けた切り込み、ホック或いはマジックテープ（登録商標）等の係止手段との結合とよりなるクリアホルダーを特徴とする。
【００２２】
更に、上記帯状片は、軸を中心として回動自在或いは該軸に着脱自在としてなるクリアホルダーを特徴とする。
【００２３】
また、表・裏面片又はそのいずれかの内側に軸を中心として回転自在とした回転体を設け、該表・裏面片に形成した窓より該回転体に表示した年・月・日・曜日或いは各種情報並びに切断分離可能な複数のクーポン券、割引券等の小薄片等を可視できるクリアホルダーを特徴とする。
【００２４】
更に、表・裏面片又はそのいずれかの表面に異なるサイズの挿入物を収納するのに適した大きさの隣接２方開放の薄片を取着したクリアホルダーを特徴とする。
【００２５】
また、表・裏面片又はそのいずれかに３方を固定し上方部が開口したポケットを形成したクリアホルダーを特徴とする。
【００２６】
更に、上記ポケットは、複数個設けてなるクリアホルダーを特徴とする。
【００２７】
また、上記ポケットには、上蓋を設け挿入物の落下防止としてなるクリアホルダーを特徴とする。
【００２８】
更に、上記ポケットは、その裏面側に設けた切り込み、ホック或いはマジックテープ（登録商標）等の係止手段と、表・裏面片又はそのいずれかに設けた切り込み、ホック或いはマジックテープ（登録商標）等の係止手段との係合とよりなり着脱自在に形成してなるクリアホルダーを特徴とする。
【００２９】
また、適宜位置のポケット或いは企業・店舗・事業所・様々な施設等を記載した位置に該当するポケットに適宜の小薄片或いは広告や情報と対応する補助薄片を着脱自在に収納してなるクリアホルダーを特徴とする。
【００３０】
更に、上記小薄片或いは補助薄片は、クーポン券、割引券等の一般情報或いは名刺、予定表、会員券、診察券等の個人情報としてなるクリアホルダーを特徴とする。
【００３１】
また、上記ポケットは、表・裏面片又はそのいずれかに形成し、上方両側縁部は非固定状態として前方側へ傾倒できるように形成してなるクリアホルダーを特徴とする。
【００３２】
更に、表・裏面片又はそのいずれかの外縁部に内側或いは外側に折り曲げ自在な補助片を取着してなるクリアホルダーを特徴とする。
【００３３】
また、上記補助片には、企業・店舗・事業所・様々な施設等の広告及び／又は情報、地図・交通路線図或いは各種地域情報等の少なくとも１以上を表示してなるクリアホルダーを特徴とする。
【００３４】
更に、上記補助片は、切断分離可能な複数のクーポン券、割引券、会員券、予定表等の小薄片としてなるクリアホルダーを特徴とする。
【００３５】
また、上記補助片は、切断分離可能な複数の小薄片からなる剥離紙付付箋としてなるクリアホルダーを特徴とする。
【００３６】
更に、上記補助片は、切断分離可能な複数のしおりとしてなるクリアホルダーを特徴とする。
【００３７】
また、上記補助片は、切断分離可能な単独或いは複数個のポケットとしてなるクリアホルダーを特徴とする。
【００３８】
更に、上記ポケットには、ポケットティッシュ或いはアメニティグッズ等の小物品を挿入自在に収納してなるクリアホルダーを特徴とする。
【００３９】
また、上記ポケットは上蓋付とし、ＤＶＤ、ＣＤ、ＭＤ、ＳＤカード等の情報媒体を挿入自在に収納してなるクリアホルダーを特徴とする。
【００４０】
更に、本体片は、特定地域の複数の企業・店舗・事業所・様々な施設等の広告及び／又は情報並びに地図・交通路線図等の情報を記載した別途大きな片に予めミシン目のような切断部を形成しておくことにより切断分離可能に形成してなるクリアホルダーを特徴とする。
【００４１】
また、表・裏面片又はそのいずれかに切断分離可能な上蓋、補助片及び切断分離可能な本体片を設け、それらのいずれか１以上の全部或いは一部を本体片から分離することにより通常のクリアホルダー或いは封筒や他の異なった形状のクリアホルダーとしてなるクリアホルダーを特徴とする。
【００４２】
更に、表・裏面片又はそのいずれかに切断部を設け、該切断部から半割り片或いは適宜分割片を切断分離することにより全体が半割り状等の小さな片とし、大きさの異なるクリアホルダーを併存してなるクリアホルダーを特徴とする。
【００４３】
また、表・裏面片よりなる本体片の折り曲げ部の外方に他の本体片を取着して二重のクリアホルダーとし、一方の表・裏面片の一部を切断分離することにより大きさの異なるクリアホルダーを併存してなるクリアホルダーを特徴とする。
【００４４】
更に、上記二重のクリアホルダーを折り曲げ部より各々分離することにより２個のクリアホルダーとしてなることを特徴とする。
【００４５】
また、表・裏面片又はそのいずれかに複数の企業・店舗・事業所・様々な施設等の広告及び／又は情報並びに地図・交通路線図等の情報に対応したクーポン券、割引券、会員券等の券情報を記載し、該券情報を小薄片として表・裏面片より切断分離可能としたクリアホルダーを特徴とする。
【００４６】
更に、表・裏面片又はそのいずれかの開放側となる側縁部及び下縁部に２方開放の薄片を固定したクリアホルダーを特徴とする。
【００４７】
また、上記２方開放の薄片にクーポン券、割引券、会員券等の券情報を記載した複数の小薄片を切断分離可能に形成したクリアホルダーを特徴とする。
【考案の効果】
【００４８】
クリアホルダーの表・裏面片に複数の企業・店舗・事業所・様々な施設等の広告及び／又は情報並びに地図・交通路線図等の情報を記載したので、利用者は頒布されたクリアホルダーの挿入物を廃棄した後も他の挿入物を収納するための手段として該クリアホルダーを再使用することが多く、その際、様々な情報をクリアホルダーの表・裏面片の記載から得ることが可能となった。
【００４９】
他方、上記企業・店舗・事業所・様々な施設等の複数の広告主体或いは情報提供主体にとっては、広告及び／又は情報が記載されたクリアホルダーにより紙媒体のみによる廃棄されやすいフリーペーパーの頒布と異なり、受け取り率が向上し、宣伝広告効果が大幅に向上することが可能となった。
【００５０】
また、利用者がクリアホルダーを廃棄することなく再利用手段として保存してくれることになるので、廃棄によるゴミの量を減少させることができ、地球環境にとって良好であり、同時に、該表・裏面片に記載された広告及び／又は情報の宣伝効果が永続的なものとなる。
【００５１】
更に、特定の駅や場所等において頒布することになるので、クリアホルダーの表・裏面片に記載された広告及び／又は情報並びに地図・交通路線図等の情報も特定地域に限定したきめ細かな広告及び／又は情報することが可能となり、且つ地図等により広告主体や情報提供主体の所在地が探しやすく、且つ競合することが少ない状態で頻繁に利用されることが多くなり、宣伝効果を上昇させることが可能となった。
【００５２】
また、頒布手段として、特定の駅や場所等での街頭頒布の他、ポストへの投函、ダイレクトメール、新聞への折り込み、フリーペーパーへの折り込み、特定の場所への設置或いは記載内容によっては役所や学校等の公共施設への設置等、対応可能性が極めて多くなり、利用者に広く行きわたることが可能となった。
【００５３】
更に、広告及び／又は情報等の広告媒体として複数の企業・店舗・事業所・様々な施設等の広告主体や情報提供主体が分割して費用を負担することが可能となり、従来の単独の広告主体或いは情報提供主体と異なり、安価な費用で対応することが可能となった。
【００５４】
また、利用者にとっては、企業・店舗・事業所・様々な施設等のクーポン券や割引券或いは地域情報やその他の各種情報をクリアホルダーから得ることができ、それらを様々な雑誌やパンフレット等から得る必要がなくなり、極めて便利に利用することが可能となった。
【００５５】
また、表・裏面片のいずれかに広告及び／又は情報並びに地図・交通路線図等の情報を記載し、他片側全体或いは半面又は補助片等から様々な付加価値情報を得ることが可能となった。
【００５６】
更に、ポケットを設けることにより色ベースの変化、広告及び／又は情報の入れ替え、クーポン券、割引券、会員券、診察券、名刺等の様々な一般情報や個人情報を収納しておくことが可能となった。
【００５７】
また、補助片を設けることによりクーポン券、割引券、会員券或いは付箋やしおり、ティッシュやＣＤ、ＭＤ等をクリアホルダーから分離して使用することが可能となった。
【００５８】
更に、複数のポケットを利用して個人にとって必要となる企業・店舗・事業所・様々な施設、地図・交通路線図、地域情報、ＱＲコード、レシピ、名刺、時刻表、カレンダー、予定表、無地用紙、しおり、付箋、各種文具、各種アメニティグッズ等を適宜位置に自由に収納配設し、当人だけの独自の情報クリアホルダーとすることが可能となった。
【図面の簡単な説明】
【００５９】
【図１】図１は本考案のクリアホルダーの展開図である。
【図２】図２は同他の実施例の展開図である。
【図３】図３は同他の実施例の展開図である。
【図４】図４は同他の実施例の斜視図である。
【図５】図５は同他の実施例の正面図である。
【図６】図６は長尺帯状体の他の実施例の正面図である。
【図７】図７は本考案のクリアホルダーの他の実施例の斜視図である。
【図８】図８は同他の実施例の正面図である。
【図９】図９は同他の実施例の正面図である。
【図１０】図１０は同他の実施例の正面図である。
【図１１】図１１は同他の実施例の正面図である。
【図１２】図１２は回転体の他の実施例の正面図である。
【図１３】図１３は本考案のクリアホルダーの他の実施例の正面図である。
【図１４】図１４は同他の実施例の正面図である。
【図１５】図１５は同他の実施例の展開図である。
【図１６】図１６は同他の実施例の展開図である。
【図１７】図１７は同他の実施例の展開図である。
【図１８】図１８は同他の実施例の展開図である。
【図１９】図１９は同他の実施例の展開図である。
【図２０】図２０は同他の実施例の展開図である。
【図２１】図２１は同他の実施例の展開図である。
【図２２】図２２は同他の実施例の展開図である。
【図２３】図２３は同他の実施例の展開図である。
【図２４】図２４は同他の実施例の展開図である。
【図２５】図２５は本考案のクリアホルダーを形成する前の状態の使用例を示す正面図である。
【図２６】図２６は本考案のクリアホルダーを形成する前の状態の使用例を示す他の実施例の正面図である。
【図２７】図２７は本考案のクリアホルダーの他の実施例の展開図である。
【図２８】図２８は同他の実施例の正面図である。
【図２９】図２９は同他の実施例の斜視図である。
【図３０】図３０は同他の実施例の斜視図である。
【図３１】図３１は同他の実施例の展開図である。
【図３２】図３２は同他の実施例の展開図である。
【図３３】図３３は同他の実施例の展開図である。
【図３４】図３４は同他の実施例の展開図である。
【考案を実施するための形態】
【００６０】
以下、図面を参考に本考案を実施するための最良の形態についてその実施例を説明する。
【実施例１】
【００６１】
図１は、クリアホルダーの本体片を構成する表・裏面片となる２辺を下縁部の固定状態を説明上切り離して展開した平面図を示している。以下に示す実施例の展開図も同様である。該クリアホルダー１は、表面片２及び裏面片３とが中央部の折り曲げ部４で折曲自在に連結された合成樹脂製のもので、その材料はポリプロピレン、ポリエチレン、ナイロン、ペット或いはポリ乳酸を主成分とする生分解性プラスチックス等の透明或いは半透明の薄片より形成されている。
【００６２】
本実施例は、上記表面片２及び裏面片３とで形成される本体片の表面に、複数の企業・店舗・事業所・様々な公共或いは私設の施設等の広告及び／又は情報５を記載している。また、それらに記載されている複数の企業・店舗・事業所・様々な施設の所在地が明確になるように地図６を併記している。広告及び／又は情報５のための手段には文言或いは写真、絵等の様々な媒体が考えられる。また、特定の限定された地域の広告及び／又は情報５であれば、それに対応する詳細或いは簡略化した地図６を記載することが可能となるし、特に地域の限定にこだわらない広告及び／又は情報５であっても、頒布等の地域や地図６に関連させて記載することが可能である。
【００６３】
例えば、該クリアホルダー１を駅頭や特定施設等の特定地域で頒布した場合、該クリアホルダー１に記載されている企業・店舗・事業所・様々な施設等が該駅や特定施設を基点としてアクセス可能な範囲内の広告や情報であれば、地図６を併記しておくことにより利用者にとって対応することが容易なものとなるし、他方、他の地域の広告及び／又は情報であれば、それらを当該特定地域の同一或いは類似した広告や情報と比較する対象物とすることも可能となる。
【００６４】
また、情報には企業・店舗・事業所・様々な施設等の広告主体や情報提供主体の広告や情報の他、特定地域の各種情報或いは頒布した地域の地図や交通路線図に基く情報、その他の各種情報等、利用者にとって有益な多くの情報が考えられ、それらがクリアホルダーという収納機能の付加価値として得ることが可能となる。
【００６５】
広告及び／又は情報５及び地図６等の記載方法としては、図１に示すように、表面片２及び／又は裏面片３を構成する本体片の大きさに合わせて所定の大きさの枠７を適宜数自由に枠取りして形成し、該枠７内に広告及び／又は情報５を自由に記載する方法がある。
【００６６】
地図６にあっては、上記広告及び／又は情報５に対応した番号、記号或いは文字等を該地図６中に付与しておくことにより、両者の対応関係が明確となり、利用者は即座に該広告及び／又は情報５とその所在或いは情報源を確認することが可能となる。
【００６７】
以下に示す他の実施例は、全て本実施例１を前提とし、それに他の付加価値となる様々な手段を加えたものである。
【実施例２】
【００６８】
図２は、広告及び／又は情報５を記載した企業・店舗・事業所・様々な施設等に広告主体や情報提供主体のホームページアドレス８、ロゴマーク９、ＱＲコード１０等を併記しておく。これにより地図６によって明確となる所在位置へのアクセスの他、広告及び／又は情報５を携帯電話等に読み取らせることができ、利用者にとってはアクセスが容易且つ永続的となり、該広告及び／又は情報５の主体にとっては、会員を増加させたり、宣伝広告の効果を向上させることになる。
【実施例３】
【００６９】
図３は、様々な施設の広告及び／又は情報５として、特定地域の病院、各種公共施設、駐車・駐輪施設、喫煙可能箇所或いはホームページの宣伝、各種地域情報等の利用者にとって有益な情報を記載したものである。それら様々な施設の広告及び／又は情報５には具体的な内容を詳細に記載することができることになり、また、地図６の併記により、その所在場所を確認することが可能となる。
【実施例４】
【００７０】
地図６には、街並み図の他、鉄道やバス等の交通路線図及び所要時間等を記載することにより広告及び／又は情報５の主体へのアクセスを容易とすることが可能となる。
【実施例５】
【００７１】
図４は、本体片の表・裏面片２、３の開口側側縁部或いは上縁部に貫通孔１１を設けたものである。該貫通孔１１は、少なくとも２箇所設けることにより各種バインダー等に該クリアホルダー１を綴じ込むことが容易となる。また、該貫通孔１１を利用して所定場所に吊り下げたり、係止したりすることも可能となる。
【実施例６】
【００７２】
図５は、本体片を形成する表・裏面片２、３又はそのいずれかにおいて、その上下の両端部或いはそれに近接した位置に横方向の短尺切断部１２を各々形成している。該上下の短尺切断部１２には長尺の帯状体１３を、その両端部が表面側に露出するように挿入し、中心部が表・裏面片２、３の内側に位置するようにして短尺切断部１２間に架け渡している。
【００７３】
例えば、挿入物を質問欄と回答欄を設けた薄片１４としておき、その左欄を質問欄、右欄を回答欄とし、その回答欄を右欄側に形成した短尺切断部１２間に架け渡した非透明体の長尺帯状体１３で隠蔽することにより、質問欄はクリアホルダーの透明或いは半透明体を通じてその内容を確認することができ、回答欄は非透明体の該長尺帯状体１３で隠すことが可能となる。該長尺帯状体１３を下方へ引くことにより、回答欄が可視できることになる。
【実施例７】
【００７４】
回答欄が挿入物の下方側にまとめて記載されていることも考慮し、本体片の表・裏面片２、３の下方の左右の両端部となる位置に縦方向の短尺切断部を形成する。上記実施例と同様の作用効果を達成することができる。
【実施例８】
【００７５】
図６は、上記長尺帯状体１３を複数枚に切断分離できるクーポン券、割引券等の小薄片１５としておくことにより、利用者はそれらを必要に応じて切断分離して利用することが可能となる。
【実施例９】
【００７６】
図７は、本体片となる表・裏面片２、３又はそのいずれかを袋状体１６としたものである。側縁部及び下縁部を閉鎖部とし、上縁部を開口部とすることにより袋状体１６を形成している。該袋状体１６は、透明或いは半透明なので、該袋状体１６内に色付薄片１７を挿入することにより外側から見たクリアホルダーの表・裏面片２、３の色調を変えることができる。また、表・裏面片２、３の表面に空白箇所を形成しておき、その位置に対応する箇所に各種広告及び／又は情報５を記載した情報薄片１８を挿入自在に形成することにより広告及び／又は情報５を自由に変えることが容易となる。なお、挿入物となる薄片１７、１８は、紙製或いは合成樹脂製等の適宜なものが選択できる。
【実施例１０】
【００７７】
図８は、表面片２及び裏面片３相互の開口隅部となる位置に、該本体片間に挿入される挿入物の位置ずれや落下を防止するための固定手段１９を設けたものである。該固定手段１９としては、該表・裏面片２、３のいずれかの開口隅部に外方へ突出した帯状片２０を固定し、その先端に設けた切り込み、ホック、マジックテープ（登録商標）或いは紐等の係止手段２１と、表・裏面片２、３の他方の片に設けた切り込み、ホック、マジックテープ（登録商標）、突起等の係止手段２２との係合が可能となるように形成している。該帯状片２０を表・裏面片２、３の開口側縁部を巻いて係止手段２１、２２相互を係止することにより開口部の一部となる隅部を閉鎖することができる。
【実施例１１】
【００７８】
図９は、固定手段２３の他の実施例である。本体片の開口隅部の固定手段２３を帯状片２４とし、その両端部を切り込み、ホック、マジックテープ（登録商標）等の着脱自在な係止手段２５とし、使用時は上記実施例と同様に表・裏面片２、３の開口側縁部を帯状片２４により巻いて係止手段２５により固定することになる。不使用時には、クリアホルダー１の左右或いは上下の端部側等の別途箇所に設けた切り込み、ホック、マジックテープ（登録商標）等の係止手段２６に該帯状片２４を係止することにより邪魔とならないようにしておくことができる。
【実施例１２】
【００７９】
図１０は、表・裏面片２、３又はそのいずれかの表面側或いは内側に大きさの異なる本体片と同様の２方開放の薄片２７を取着したものである。例えば、Ａ４サイズの挿入物を収納するクリアホルダー１の表・裏面片２、３の前面にＢ５サイズの挿入物を収納するのに適した大きさの２方開放の薄片２７を取着したものである。該２方開放の薄片２７は、本体片の折り曲げ部４側にその側縁部と下縁部とを固定することによりサイズの小さな挿入物のホルダーとすることができる。
【実施例１３】
【００８０】
図１１は、表・裏面片２、３のいずれかに軸２８を中心として回動自在とした回転体２９を設け、且つ該表・裏面片２、３に窓３０を形成している。該回転体２９の表面には年、月、日、曜日或いはそれらに関連する事項を記載しておくことにより、該窓３０からそれらを確認することができる。該窓３０は、１個に限定することなく、必要に応じて適数個設けることができる。該回転体２９の一部を本体片の外縁部から外方へ突出させておくことにより軸２８を中心として指で容易に回転させることができる。本体片側に凹部か凸部を形成し、回転体２９側にそれに対応する凸部か凹部を形成しておくことにより適宜位置で該回転体２９を係止させておくことができる。
【実施例１４】
【００８１】
図１２は、上記実施例の回転体２９の表面に複数のクーポン券、割引券等となる小薄片を取着し、それら相互間に切断分離可能なミシン目を形成しておくことにより、必要に応じて切断分離して使用することを可能としている。
【実施例１５】
【００８２】
図１３は、表・裏面片２、３又はそのいずれかの表面側に上蓋付ポケット３１を装着したものである。表・裏面片２、３又はそのいずれかの表面側とポケットの裏面側に各々ホックやマジックテープ（登録商標）等の係止手段３２を付与しておくことにより着脱自在とすることを可能としている。
【実施例１６】
【００８３】
図１４は、表・裏面片２、３又はそのいずれかの表面側に切断部３３を形成し、該切断部３３に上蓋付ポケット３１の隅部を係合させることにより該上蓋付ポケット３１を着脱自在に装着することを可能としたものである。
【実施例１７】
【００８４】
図１５は、表・裏面片２、３のいずれかに３方を固定し上方部を開口した透明又は半透明のポケット３４を設けたものである。例えば、予め印刷されている地図６としての交通路線図上に透明或いは半透明のポケット３４を設けることにより他の異なる交通路線図等を印刷した薄片３５と入れ替えることが可能となる。該交通路線図に限定することなく、他の様々な情報を記載した薄片と入れ替えることも可能である。
【実施例１８】
【００８５】
図１６は、表・裏面片２、３又はそのいずれかに３方を固定し上方部を開口させた透明或いは半透明のポケット３６を複数個設けたものである。例えば、上記同様に、予め印刷されている交通路線図等の上に他の交通路線図や時刻表等を印刷した薄片３７や様々な他の情報を印刷した薄片３７と入れ替えることができる。交通路線図に変化が生じたとき、時刻表が変わったとき等に対応することが可能となる。
【実施例１９】
【００８６】
図１７は、表・裏面片２、３又はそのいずれかに記載された複数の企業・店舗・事業所・様々な施設等の広告及び／又は情報５が記載された上部に、３方が固定され上方部が開口したポケット３８を設け、該ポケット３８に該広告及び／又は情報５に関連したクーポン券、割引券或いは名刺、診察券等の分離することのできる小薄片３９を挿入保管することを可能としたものである。必要に応じて取り出して使用することができる。
【実施例２０】
【００８７】
図１８は、表・裏面片２、３又はそのいずれかに３方が固定され上方部が開口した挿入物を収納するポケット４０を取着する。該ポケット４０の上方部側両側縁部を非固定部としておくことにより、該ポケット４０の先端が前方へ傾倒することを可能とし、それらの内側に切断分離可能な複数のクーポン券、割引券、各種チケット等の小薄片４１を設けたものである。必要に応じて切断分離して使用することができる。また、該非固定部が前方側へ倒れることを防止するためにクリアホルダーの上縁部に該ポケット４０の上方部を覆うことのできる上蓋４２を形成している。それにより該ポケット４０への挿入物の落下防止手段としている。該上蓋４２の先端には適宜係止手段４３を設けている。
【実施例２１】
【００８８】
図１９は、表・裏面片２、３又はそのいずれかの外縁部に、該表・裏面片２、３の内側或いは外側へ折り曲げ自在とした外方へ突出させることのできる補助片４４を取着したものである。該補助片４４には、企業・店舗・事業所・様々な施設等の広告及び／又は情報５、地図６、交通路線図、地域情報等の少なくとも１以上を記載している。未使用時には、該補助片４４は表・裏面片２、３側に折り曲げられているが、使用時には、該表・裏面片２、３から該補助片４４を外方へ引き出すことにより、該表・裏面片２、３の表面に記載されている広告及び／又は情報５や地図６等と照らし合わせて利用することができる。
【実施例２２】
【００８９】
図２０は、補助片の他の実施例で、切断分離可能な複数のクーポン券、割引券、会員券等の小薄片４５が配列された分離可能補助片４６とし、該分離可能補助片４６を表・裏面片２、３の外縁部に取着したものである。小薄片４５相互間にミシン目等を入れておくことにより手により適宜容易に分離できるようにしている。該分離可能補助片４６は、上記同様、クリアホルダー１と同一材料或いは再生ペットクリアホルダー等と同一材料、紙製等の適宜材料が選定できる。配布時或いは未使用時には該分離可能補助片４６を表・裏面片２、３側に折り曲げた状態としておくことにより邪魔となることはない。また、折り曲げて収納することができるので、必要に応じて同様の分離可能補助片４６を適数個形成することができる。
【実施例２３】
【００９０】
図２１は、補助片を切断分離可能な複数の小薄片からなる分離可能補助片として剥離紙４７を付与した付箋４８を配列したもので、該付箋４８は表・裏面片２、３の外縁部に取着したものである。小薄片となる付箋４８相互間にはミシン目等を入れておくことにより手により適宜容易に分離できるようにしている。また、該付箋４８は同じものを複数枚重ねておくことにより数量を多くすることができる。材料は、クリアホルダー１と同一材料或いは他の適宜材料が選択でき、各種異なる色の付箋４８を配列しておくことができる。配布時或いは未使用時には該付箋４８は表・裏面片２、３側に折り曲げた状態としておき、使用時には表・裏面片２、３から引き出して該付箋４８を切断分離し、剥離紙４７を剥がして使用することになる。
【実施例２４】
【００９１】
図２２は、補助片を切断分離可能な複数の小薄片からなるしおり４９を配列したものとし、該しおり４９は表・裏面片２、３又はそのいずれかの外縁部に取着したものである。小薄片となるしおり４９相互間にはミシン目等を入れておくことにより手により適宜容易に分離できるようにしている。
【実施例２５】
【００９２】
図２３は、補助片を切断分離可能なポケット５０としたもので、表・裏面片２、３又はそのいずれかの外縁部に分離可能に取着している。外縁部とポケット５０間にはミシン目等が入れられているので必要に応じて適宜容易に分離することができる。該ポケット５０は必要に応じてティッシュ或いはポケットティッシュ内のティッシュを自由に取り出すことができるように切断部を形成しておくことができる。大きさは該ポケットティッシュが挿入できる大きさ或いは付箋や他の小物品を入れることができる大きさ等、適宜自由に対応できるものとし、分離可能ではあるが、そのまま本体片に連結させた状態で使用することも可能である。従って、薄部材のアメニティグッズ等の小物品を収納することも可能である。複数個のポケット５０を連結した状態としてもよい。
【実施例２６】
【００９３】
図２４は、補助片を切断分離可能なやや大きなポケット５１としたもので、単独或いは複数個連結した状態で形成し、開口部には上蓋５２を設けている。表・裏面片２、３の外縁部にミシン目等により切断分離可能に取着している。ポケット５１への挿入物としては、例えば、広告及び／又は情報５或いは地図６の内容と一致或いは関連する内容を収録したＤＶＤ、ＣＤ、ＭＤ，ＳＤカード等の情報媒体５３等を収納するのに使用する。上蓋５２を設けることにより情報媒体５３の落下防止とすることができるものである。また、ポケット５１内に薄い緩衝材を挿入しておくこと或いはポケット内側を緩衝材で形成しておくことにより破損し易い情報媒体５３の安全を確保することができる。
【実施例２７】
【００９４】
図２５は、バス、電車等の交通手段の側壁広告手段或いは紙媒体に替えて合成樹脂製の大きな各種掲示物として使用した大きな片５４をクリアホルダー１として再使用することができることを示すものである。表・裏面片２、３には複数の企業・店舗・事業所・様々な施設の広告及び／又は情報５が記載されているので、交通手段での広告期間の終了後、或いは何等かの掲示が終了後、それらを廃棄することなくクリアホルダー１として再使用するものである。
【００９５】
上記交通手段の広告及び／又は情報５或いは掲示用ポスター等は、大きな片５４のものが使用されることが多いので、それらの使用後にクリアホルダー１として使用するために該大きな片５４からクリアホルダー１となる大きさの片に切断分離できるように予めミシン目のような分離用の切断部を形成しておく。例えば、図２５に示すように、大きな片５４にＡ４の挿入物を収納できる大きさのクリアホルダー１が２個切断分離することができるように予め切断部を設けておく。クリアホルダー１を該大きな片５４から切断分離して抜き取る手段は様々なものが考えられるが、広告及び／又は情報５の内容が分断されることがないように切断分離できるようにしておけばよい。
【実施例２８】
【００９６】
図２６は、上記同様、例えば、バス、電車等の交通手段の中吊り広告手段として使用した大きな片５４をクリアホルダー１として再使用するものである。上記実施例と同様、大きな片５４からクリアホルダー１分を切断分離して使用するものであるが、上記バス、電車等の交通手段に限定されることなく、また、枠材や吊り材に固定されて使用された大きな片５４に限定されることなく、様々な箇所、例えば、鋲、接着剤等の他の固定手段５５で固定された大きな片５４であれば、その使用後に該固定手段５５として使用された欠損箇所等を避けてクリアホルダー１として再使用することができる。
【実施例２９】
【００９７】
図２７は、表・裏面片２、３又はそのいずれかに上蓋５６及び／又は補助片５７を付与したクリアホルダー１を示したもので、該表・裏面片２、３の一部を切断分離可能とし、また、上蓋５６及び補助片５７も該表・裏面片２、３から切断分離可能としたものである。予め表・裏面片２、３、に形成したミシン目のような切断部５８により切断分離可能な小薄片５９並びに該表・裏面片２、３とその上縁部で連結されている上蓋５６及び／又は補助片５７にも切断分離可能な小薄片５９を設けることができる。上記表・裏面片２、３側の小薄片５９を切断分離することにより折り曲げ自在な上蓋５６を持った封筒とすることを可能とし、該上蓋５６或いは必要により補助片５７を切断分離することにより通常のクリアホルダー１とすることもでき、該上蓋５６、小薄片５９及び補助片５７の全てを切断分離することにより表・裏面片２、３又はそのいずれかの一部が切除されたクリアホルダー１とすることが可能となる。
【実施例３０】
【００９８】
図２８は、表・裏面片２、３又はそのいずれかに上蓋６０及び／又は補助片６１を付与したクリアホルダー１を示したもので、その開放側側縁部を下縁部から少し立ち上げた位置までを表・裏面片２、３相互の連結部６２として固定している。該上蓋６０は、上記実施例と同様、蓋の機能、広告及び／又は情報手段或いは切断分離可能な複数のクーポン券、割引券、会員券等の券情報を小薄片６３としておくことができる。補助片６１の機能は、上記同様としておくことができる。下方部側の側縁部に連結部６２を形成しておくことにより、挿入物が脱落しない封筒型への変形が容易となる。また、通常のクリアホルダー１或いは変形クリアホルダー１とすることは、上記実施例と同様に可能である。
【実施例３１】
【００９９】
図２９は、表・裏面片２、３の上方側或いは下方側に複数のクーポン券、割引券、会員券等の小薄片６３を切断分離可能とした切断部を形成した半割部６４を設け、該小薄片６３の切断分離が終了すると、例えば、Ａ４サイズのクリアホルダー１がＡ５サイズのクリアホルダー１として使用可能なものとなる。
【実施例３２】
【０１００】
図３０は、２個のクリアホルダー１を折り曲げ部４においてその背部相互を連結したもので、上記実施例同様、表・裏面片２、３の例えばＡ４サイズの外側に位置している表・裏面片２、３の切断部を形成した半割部６５、６６の切断分離が終了すると、例えば一方はＡ５の大きさのクリアホルダー１となり、他方はＡ４のクリアホルダー１となり、両者は異なるサイズの２個のクリアホルダー１が連結されたものとなる。また、左右のクリアホルダー１をその連結部となる折り曲げ部４で分離させることにより、各々別体のクリアホルダー１として使用することが可能となる。
【実施例３３】
【０１０１】
図３１は、表・裏面片２、３又はそのいずれかに記載した複数の企業・店舗・事業所・様々な施設等の広告及び／又は情報５並びに地図６や交通路線図等の情報に併せて記載されているクーポン券、割引券、会員券等の券情報となる小薄片６７を、該表・裏面片２、３から切断分離可能に設けたものである。広告及び／又は情報５等に関連した様々な形状の小薄片６７の周囲に予めミシン目等の切断部を設けておくことにより抜き取って利用することを可能としている。また、枠７の数並びに該小薄片６７の数を考慮すれば、該小薄片６７を適宜抜き取るゲーム等として使用することも可能である。上記小薄片６７をクリアホルダー１から除去しても、それらは小さな領域のものでありクリアホルダー１本来の収納機能に支障が生じるものではない
【実施例３４】
【０１０２】
図３２は、
図３２は、表・裏面片２、３又はそのいずれかの表面側或いは内側に挿入物を収納する２方開放の薄片６８を、その開放側を折り曲げ部４側に設け、固定側を該表・裏面片２、３の側縁部としたものである。薄片６８をやや小さめとしておくことにより該折り曲げ部４及び上縁部との間に間隙が生じ、挿入物の区分け及びその移動が防止でき、且つ出入れが容易となる。また、薄片６８に複数の企業・店舗・事業所・様々な施設等の広告及び／又は情報５並びに地図６や交通路線図等の情報を記載することも可能である。
【実施例３５】
【０１０３】
図３３、３４は、上記実施例の薄片６８にクーポン券、割引券、会員券等の券情報を記載した複数の小薄片６９を切断分離可能に設けたものである。図３３は薄片６８の上縁部に、図３４は薄片６８の側縁部のいずれか或いはその左右に小薄片６９を設けたものである。上縁部及び左右の側縁部に併設してもよい。側縁部に小薄片６９を設けたものにあっては、該表・裏面片２、３の表面側に重なるように折り返しておくことによりクリアホルダー１としての使用に邪魔となることを防止することができる。
【符号の説明】
【０１０４】
１                                              クリアホルダー
２                                              表面片
３                                              裏面片
４                                              折り曲げ部
５                                              広告及び／又は情報
６                                              地図
７                                              枠
８                                              ホームページアドレス
９                                              ロゴマーク
１０                                              ＱＲコード
１１                                              貫通孔
１２                                              短尺切断部
１３                                              長尺帯状体
１４、３５、３７                                  薄片
１５、３９、４１、４５、５９、６３、６７、６９    小薄片
１６                                              袋状体
１７                                              色付薄片
１８                                              情報薄片
１９、２３、５５                                  固定手段
２０、２４                                        帯状片
２１、２２、２５、２６、３２、４３                係止手段  
２７、６８                                        ２方開放の薄片
２８                                              軸
２９                                              回転体
３０                                              窓
３１                                              上蓋付ポケット
３３、５８                                        切断部
３４、３６、３８、４０、５０、５１                ポケット
４２、５２、５６、６０                            上蓋
４４、５７、６１                                  補助片
４６                                              分離可能補助片
４７                                              剥離紙
４８                                              付箋
４９                                              しおり
５３                                              情報媒体
５４                                              大きな片
５５                                              固定手段
５９                                              分離可能片
６４、６５、６６                                  半割部
【図１】
0003149942.tif 000003
【図２】
0003149942.tif 000004
【図３】
0003149942.tif 000005
【図４】
0003149942.tif 000006
【図５】
0003149942.tif 000007
【図６】
0003149942.tif 000008
【図７】
0003149942.tif 000009
【図８】
0003149942.tif 000010
【図９】
0003149942.tif 000011
【図１０】
0003149942.tif 000012
【図１１】
0003149942.tif 000013
【図１２】
0003149942.tif 000014
【図１３】
0003149942.tif 000015
【図１４】
0003149942.tif 000016
【図１５】
0003149942.tif 000017
【図１６】
0003149942.tif 000018
【図１７】
0003149942.tif 000019
【図１８】
0003149942.tif 000020
【図１９】
0003149942.tif 000021
【図２０】
0003149942.tif 000022
【図２１】
0003149942.tif 000023
【図２２】
0003149942.tif 000024
【図２３】
0003149942.tif 000025
【図２４】
0003149942.tif 000026
【図２５】
0003149942.tif 000027
【図２６】
0003149942.tif 000028
【図２７】
0003149942.tif 000029
【図２８】
0003149942.tif 000030
【図２９】
0003149942.tif 000031
【図３０】
0003149942.tif 000032
【図３１】
0003149942.tif 000033
【図３２】
0003149942.tif 000034
【図３３】
0003149942.tif 000035
【図３４】
0003149942.tif 000036
【手続補正書】
【提出日】平成21年2月16日(2009.2.16)
【手続補正１】
【補正対象書類名】明細書
【補正対象項目名】００１０
【補正方法】変更
【補正の内容】
【００１０】
更に、広告及び／又は情報には、ホームページアドレス、ロゴマーク、携帯用のＱＲコード（登録商標）等を記載してなるクリアホルダーを特徴とする。
【手続補正２】
【補正対象書類名】明細書
【補正対象項目名】００５８
【補正方法】変更
【補正の内容】
【００５８】
更に、複数のポケットを利用して個人にとって必要となる企業・店舗・事業所・様々な施設、地図・交通路線図、地域情報、ＱＲコード（登録商標）、レシピ、名刺、時刻表、カレンダー、予定表、無地用紙、しおり、付箋、各種文具、各種アメニティグッズ等を適宜位置に自由に収納配設し、当人だけの独自の情報クリアホルダーとすることが可能となった。
【手続補正３】
【補正対象書類名】明細書
【補正対象項目名】００６８
【補正方法】変更
【補正の内容】
【００６８】
図２は、広告及び／又は情報５を記載した企業・店舗・事業所・様々な施設等に広告主体や情報提供主体のホームページアドレス８、ロゴマーク９、ＱＲコード（登録商標）１０等を併記しておく。これにより地図６によって明確となる所在位置へのアクセスの他、広告及び／又は情報５を携帯電話等に読み取らせることができ、利用者にとってはアクセスが容易且つ永続的となり、該広告及び／又は情報５の主体にとっては、会員を増加させたり、宣伝広告の効果を向上させることになる。
【手続補正４】
【補正対象書類名】明細書
【補正対象項目名】０１０４
【補正方法】変更
【補正の内容】
【０１０４】
１                                              クリアホルダー
２                                              表面片
３                                              裏面片
４                                              折り曲げ部
５                                              広告及び／又は情報
６                                              地図
７                                              枠
８                                              ホームページアドレス
９                                              ロゴマーク
１０                                              ＱＲコード（登録商標）
１１                                              貫通孔
１２                                              短尺切断部
１３                                              長尺帯状体
１４、３５、３７                                  薄片
１５、３９、４１、４５、５９、６３、６７、６９    小薄片
１６                                              袋状体
１７                                              色付薄片
１８                                              情報薄片
１９、２３、５５                                  固定手段
２０、２４                                        帯状片
２１、２２、２５、２６、３２、４３                係止手段  
２７、６８                                        ２方開放の薄片
２８                                              軸
２９                                              回転体
３０                                              窓
３１                                              上蓋付ポケット
３３、５８                                        切断部
３４、３６、３８、４０、５０、５１                ポケット
４２、５２、５６、６０                            上蓋
４４、５７、６１                                  補助片
４６                                              分離可能補助片
４７                                              剥離紙
４８                                              付箋
４９                                              しおり
５３                                              情報媒体
５４                                              大きな片
５５                                              固定手段
５９                                              分離可能片
６４、６５、６６                                  半割部
【手続補正５】
【補正対象書類名】実用新案登録請求の範囲
【補正対象項目名】請求項３
【補正方法】変更
【補正の内容】
【請求項３】
広告及び／又は情報には、ホームページアドレス、ロゴマーク、携帯用のＱＲコード（登録商標）等を記載してなることを特徴とする請求項１又は２記載のクリアホルダー。